【手続補正書】
【提出日】平成20年4月17日(2008.4.17)
【手続補正１】
【補正対象書類名】明細書
【補正対象項目名】特許請求の範囲
【補正方法】変更
【補正の内容】
【特許請求の範囲】
【請求項１】  光源からの光束を偏向走査する偏向走査手段と、該偏向走査手段により偏向走査した光束を被走査面上に走査する走査レンズと、前記偏向走査手段及び前記走査レンズを収容する光学箱と、前記走査レンズの長手方向両端部をそれぞれ保持する第１保持台及び第２保持台と、前記走査レンズの長手方向において前記第１保持台と前記第２保持台との間に位置し、前記走査レンズが接着剤によって接着される接着部と、を有する光走査装置において、前記接着部は前記接着剤の硬化収縮により前記走査レンズ側に弾性変形することを特徴とする光走査装置。
【請求項２】  前記接着部は、前記光学箱によって片持ち梁状に支持された可撓片であることを特徴とする請求項１に記載の光走査装置。
【請求項３】  前記可撓片、前記第１保持台及び前記第２保持台は、前記光学箱と一体に設けられていることを特徴とする請求項２に記載の光走査装置。
【請求項４】  前記第１保持台及び前記前記第２保持台と対向する前記走査レンズの下面は、前記走査レンズの長手方向において断面を円弧状とした面であり、前記第１保持台及び前記第２保持台は、前記走査レンズの円弧状の下面を受け入れる凹部をそれぞれ有し、前記可撓片は、前記走査レンズの円弧状の下面を受け入れる略Ｕ字形状であることを特徴とする請求項２又は３に記載の光走査装置。
【請求項５】  前記走査レンズは回折光学素子であることを特徴とする請求項１乃至４のうちの何れか１つの請求項に記載の光走査装置。
【手続補正２】
【補正対象書類名】明細書
【補正対象項目名】０００９
【補正方法】変更
【補正の内容】
【０００９】
【発明が解決しようとする課題】
しかしながら上述の先願例では、接着台１２が光学箱１と一体になっているので、接着台１２の剛性は回折光学素子８の剛性よりも高くなっている。また、接着剤１３が硬化する際には、接着剤１３に収縮応力が発生する。従って、接着台１２は硬化収縮する際に回折光学素子８を引き付け、図１２に示すように位置と姿勢を正確に調整した回折光学素子８を変形させ、画像を劣化させることがある。
【手続補正３】
【補正対象書類名】明細書
【補正対象項目名】００１２
【補正方法】変更
【補正の内容】
【００１２】
【課題を解決するための手段】
上記目的を達成するための本発明は、光源からの光束を偏向走査する偏向走査手段と、該偏向走査手段により偏向走査した光束を被走査面上に走査する走査レンズと、前記偏向走査手段及び前記走査レンズを収容する光学箱と、前記走査レンズの長手方向両端部をそれぞれ保持する第１保持台及び第２保持台と、前記走査レンズの長手方向において前記第１保持台と前記第２保持台との間に位置し、前記走査レンズが接着剤によって接着される接着部と、を有する光走査装置において、前記接着部は前記接着剤の硬化収縮により前記走査レンズ側に弾性変形することを特徴とする光走査装置である。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
【発明の実施の形態】
本発明を図１〜図７に図示の実施の形態に基づいて詳細に説明する。
図１は第１の実施の形態の平面図であり、光学箱２１にはレーザー光Ｌを発する光源ユニット２２が取り付けられている。光学箱２１内で光源ユニット２２から出射したレーザー光Ｌの進行方向には、シリンドリカリルレンズ２３と偏向走査器２４が順次に配置されている。偏向走査器２４はレーザー光Ｌを偏向する多面鏡２５と、この多面鏡２５をＣ方向に回転自在に保持した駆動モータ２６とから構成されている。多面鏡２５で偏向したレーザー光Ｌの進行方向には、走査レンズであるｆθレンズの屈折部を構成する屈折光学素子２７と、ｆθレンズの回折部を構成する回折光学素子２８とが光学箱２１の内部に配置され、像担持体である回転ドラム２９が光学箱２１の外部に配置されている。
【手続補正１３】
【補正対象書類名】明細書
【補正対象項目名】００２３
【補正方法】変更
【補正の内容】
【００２３】
図２は光学箱２１に取り付ける前の回折光学素子２８とその近傍の拡大斜視図であり、回折光学素子２８の長手方向両端部をそれぞれ保持するための左右の保持台３１（第１保持台及び第２保持台）と、これらの保持台３１の間に位置して回折光学素子２８を接着するための接着部３２とが、光学箱２１と一体に設けられている。保持台３１の上面には、回折光学素子２８の断面円弧状の下面２８ａを受け入れる略Ｖ字形状の凹部３１ａが形成されている。
【手続補正１４】
【補正対象書類名】明細書
【補正対象項目名】００２６
【補正方法】変更
【補正の内容】
【００２６】
図３は回折光学素子２８とその近傍の縦断面図、図４は回折光学素子２８の近傍の光学箱２１の横断面図であり、回折光学素子２８を光学箱２１に固定する際には、先ず接着部３２の可撓片３５の上面３５ａのみに紫外線硬化性の接着剤３９を塗布し、その後に回折光学素子２８を左右の保持台３１の凹部３１ａの間に架け渡す。これにより、回折光学素子２８の下面２８ａと可撓片３５の上面３５ａとの間の隙間４０に接着剤３９が充填された状態となる。一方、接着部３２の他の上面３７ａ、３８ｂと回折光学素子２８の下面２８ａとの間には間隙があり、回折光学素子２８が浮いた状態となっている。この状態で回折光学素子２８の位置と姿勢を次に述べる方法で調整する。
【手続補正１５】
【補正対象書類名】明細書
【補正対象項目名】００３５
【補正方法】変更
【補正の内容】
【００３５】
【発明の効果】
以上説明したように本発明に係る光走査装置は、光学箱の接着部は接着剤の硬化収縮により走査レンズ側に弾性変形するため、走査レンズの所定の位置と姿勢を変化させることがなく、高精細な画像を形成できる。
【手続補正１６】
【補正対象書類名】明細書
【補正対象項目名】００３６
【補正方法】変更
【補正の内容】
【００３６】
また、第１の実施の形態の光走査装置は、走査レンズの中央近傍の少なくとも１個所を接着したので、走査レンズが熱膨張した場合にその左右の延伸量が均一となり、走査線の片倍率を均一にすることができる。
【手続補正１７】
【補正対象書類名】明細書
【補正対象項目名】００３７
【補正方法】変更
【補正の内容】
【００３７】
また、第１の実施の形態の光走査装置は、接着部の一部を固定端とすると共に他部を自由端とするように貫通部を形成したので、接着部が片持ち梁状となって弾性変形し易くなる。
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】
【手続補正２１】
【補正対象書類名】明細書
【補正対象項目名】００４１
【補正方法】変更
【補正の内容】
【００４１】
また、第１の実施の形態の光走査装置は、走査レンズを長手方向の軸に沿って平行移動させて走査面上における主走査方向の片倍率を調整したので、片倍率を容易に調整して走査レンズを容易に接着できる。
【手続補正２２】
【補正対象書類名】明細書
【補正対象項目名】００４２
【補正方法】変更
【補正の内容】
【００４２】
また、第１の実施の形態の光走査装置は、走査レンズを長手方向の軸を中心として回転させて被走査面上における走査線の曲がりを調整したので、走査線の曲がりを容易に調整して走査レンズを容易に接着できる。
【手続補正２３】
【補正対象書類名】明細書
【補正対象項目名】００４３
【補正方法】変更
【補正の内容】
【００４３】
また、第１の実施の形態の光走査装置は、走査レンズを回折光学素子としたので、屈折光学素子の場合と比較して、スポット径等の光学性能が悪化することを抑制しながら走査線をより高精度に補正できる。
【手続補正２４】
【補正対象書類名】明細書
【補正対象項目名】図面の簡単な説明
【補正方法】変更
【補正の内容】
【図面の簡単な説明】
【図１】
第１の実施の形態の平面図である。
【図２】
光学箱に取り付ける前の回折光学素子とその近傍の拡大斜視図である。
【図３】
回折光学素子とその近傍の縦断面図である。
【図４】
回折光学素子の近傍の光学箱の横断面図である。
【図５】
走査線の曲がりと片倍率の測定の説明図である。
【図６】
可撓片の作用説明図である。
【図７】
第２の実施の形態の回折光学素子とその近傍の縦断面図である。
【図８】
先願例の平面図である。
【図９】
先願例の回折光学素子とその近傍の縦断面図である。
【図１０】
先願例の回折光学素子の近傍の光学箱の横断面図である。
【図１１】
先願例の走査レンズの取付方法の説明図である。
【図１２】
先願例の作用説明図である。
【符号の説明】
２１  光学箱
２２  光源ユニット
２４  偏向走査器
２７  屈折光学素子
２８  回折光学素子
２８ａ  下面
２９  回転ドラム
２９ａ  被走査面
３１  保持台
３２  接着部
３３、３４、３７、３８  台部
３５、３５’  可撓片
３５ａ、３７ａ、３８ａ  表面
３５ｂ  条溝
３６  貫通部
３９  接着剤
４０、４０’  隙間